(57)【特許請求の範囲】
【請求項１】
間隔を空けて配置された第１壁及び第２壁を有する本体と、当該第１壁及び第２壁の間で当該第１壁に対向して回動可能に支持された装着状態、及び上記本体から離間された脱抜状態に着脱可能な回動部材と、を具備する回動装置であって、
上記装着状態において、相互に対向する上記第１壁の面及び上記回動部材の面のいずれか一方である第１面から突出して設けられた軸体と、他方の面である第２面に設けられた軸受け部と、を具備しており、
上記軸体は、上記第１面に沿った断面形状が、第１方向に沿った第１長さの直径を有する円の一部を有し、且つ上記第１方向と直交する第２方向に沿った第２長さが上記第１長さよりも短く、
上記軸受け部は、
上記装着状態において上記軸体が回動可能な状態で挿入される内部空間と、
上記内部空間と外部とを連通しており、上記軸体における上記第１長さよりも短く、且つ上記第２長さよりも長い幅を有し、上記装着状態において上記第２面と、当該第２面に交差する第３面との両方に開口する開口部と、
上記開口部を区画する面であって、上記装着状態において上記軸体の突出端よりも上記第２面に近い第４面と、を有する回動装置。
【請求項２】
上記軸受け部は、上記開口部における上記内部空間と反対において上記第４面と連続し、かつ上記内部空間から離れるに従って上記第２面から遠くなるように傾斜するテーパ面を更に有する請求項１に記載の回動装置。
【請求項３】
上記第４面は、上記開口部が上記内部空間に連通する部分の全域にわたって設けられている請求項１又は２に記載の回動装置。
【請求項４】
上記軸受け部は、上記第４面と連続し、且つ上記内部空間と向き合う第５面を更に有しており、当該第５面は、上記軸受け部の内部空間に沿って湾曲している請求項１から３のいずれかに記載の回動装置。
【請求項５】
上記軸体の上記断面形状は、上記第１長さを直径とする円の一部が、上記第１方向に平行な直線によって切り欠かれた形状である請求項１から４のいずれかに記載の回動装置。
【請求項６】
上記軸体の上記断面形状は、２本の上記直線によって上記円の一部が切り欠かれた小判形状である請求項５に記載の回動装置。
【請求項７】
上記軸受け部の上記内部空間は、底面を有する凹形状である請求項１から６のいずれかに記載の回動装置。
【請求項８】
上記脱抜状態の上記回動部材は、上記軸体に対して、上記軸体の上記第２方向が上記開口の幅に沿った状態で、当該軸体が上記軸受け部の上記内部空間に進入する向きへ相対的に移動されることによって、当該軸体が上記第４面を乗り越えて上記軸受け部の上記内部空間に挿入されることにより上記装着状態となる請求項１から７のいずれかに記載の回動装置。
【請求項９】
上記本体は、プリント機能を有するものであり、
上記本体の上方にスキャン機能を有するスキャナ部が回動可能に接続されており、
上記回動部材における上記軸受け部と反対の端部は、上記スキャナ部に接続されている請求項１から８のいずれかに記載の回動装置。
【請求項１０】
上記スキャナ部が上記本体に対して回動可能な範囲において、上記軸体の上記第２方向が上記開口部に沿うことがない請求項９に記載の回動装置。
【請求項１１】
上記軸体が上記第１壁に設けられ、上記軸受け部が上記回動部材に設けられている請求項１から１０のいずれかに記載の回動装置。
【発明の詳細な説明】
【技術分野】
【０００１】
本発明は、複写機、プリンタ等の各種機器に設けられる回動装置に関する。
【背景技術】
【０００２】
スキャン機能を有する複合機では、プリント機能を有するプリンタ部上に、スキャン機能を有するスキャナ部を、回動アームによって上下方向に回動可能に支持する構成が知られている。回動アームは、一方の端部がプリンタ部に回動可能に支持され、他方の端部がスキャナ部に回動可能に支持される。このような複合機では、回動アームの端部をプリンタ部に容易に組み付けることができる回動装置が要望されている。
【０００３】
特許文献１には、略真円形状の第１孔と、導入溝としての切り欠き部とを有する軸受け部がフレームに設けられて、断面が長円形状の回動軸が軸受け部の第１孔内に嵌合された回動装置が開示されている。この回動装置では、回動軸が軸受け部における導入溝を通過して、第１孔内に回転可能に嵌合される。これにより、回動軸が軸受け部に容易に組み付けることができる。フレームに支持された回動軸には回動部材が取り付けられる。
【先行技術文献】
【特許文献】
【０００４】
【特許文献１】特開２００１−７２２７５号公報
【発明の概要】
【発明が解決しようとする課題】
【０００５】
特許文献１の構成では、回動軸が、軸受け部の孔部内に嵌合されたことを目視によって確認することができる。しかし、軸受け部が容易に目視できないような位置に設けられる場合には、回動軸が孔部内に嵌合されたことを確認することが容易でないという問題がある。
【０００６】
特に、プリンタ部に対してスキャナ部が回動アーム（回動部材）によって支持される構成の複合機の場合には、回動アームが、プリンタ部に設けられた一対のフレームの間において支持される場合がある。この場合、特許文献１に開示された回動装置の構成を採用すると、回動軸が軸受け部の孔部内に嵌合されたことを目視によって確認できないおそれがある。このため、回動軸が軸受け部の孔部内に完全に嵌合されていない状態（回動軸の一部が導入溝に位置している状態）で回動アームが回動されると、回動アームあるいはフレームが破損することになる。
【０００７】
本発明は、前述された事情に鑑みてなされたものであり、その目的は、回動部材が所定の状態に組み付けられたことを容易に確認できる回動装置を提供することにある。
【課題を解決するための手段】
【０００８】
(1)  本発明に係る回動装置は、間隔を空けて配置された第１壁及び第２壁を有する本体と、当該第１壁及び第２壁の間で当該第１壁に対向して回動可能に支持された装着状態、及び上記本体から離間された脱抜状態に着脱可能な回動部材と、を具備する回動装置であって、上記装着状態において、相互に対向する上記第１壁の面及び上記回動部材の面のいずれか一方である第１面から突出して設けられた軸体と、他方の面である第２面に設けられた軸受け部と、を具備しており、上記軸体は、上記第１面に沿った断面形状が、第１方向に沿った第１長さの直径を有する円の一部を有し、且つ上記第１方向と直交する第２方向に沿った第２長さが上記第１長さよりも短く、上記軸受け部は、上記装着状態において上記軸体が回動可能な状態で挿入される内部空間と、上記内部空間と外部とを連通しており、上記軸体における上記第１長さよりも短く、且つ上記第２長さよりも長い幅を有し、上記装着状態において上記第２面と、当該第２面に交差する第３面との両方に開口する開口部と、上記開口部を区画する面であって、上記装着状態において上記軸体の突出端よりも上記第２面に近い第４面と、を有する。
【０００９】
この構成によれば、本体に対して脱抜状態の回動部材を本体に組み付ける際に、軸受け部の開口部内に軸体が嵌合した状態で、軸体に沿って軸受け部を移動させると、軸体は、開口部を区画する第４面を乗り越えて、軸受け部の内部空間に挿入される。この場合、軸体が、第４面を乗り越えるときに軸体に加わる抵抗の変化が作業者に伝達されることにより、あるいは、第４面を乗り越えるときに音が発生する場合にはその音を作業者が聞くことにより、作業者は、内部空間内に軸体が挿入されたことを容易に認識できる。
【００１０】
(2)  好ましくは、上記軸受け部は、上記開口部における上記内部空間と反対において上記第４面と連続し、かつ上記内部空間から離れるに従って上記第２面から遠くなるように傾斜するテーパ面を更に有する。
【００１１】
この構成によれば、軸受け部を軸体に組み付けるときに、開口部内に嵌合されて軸受け部に対して相対的に移動する軸体はテーパ面に案内される。これにより、軸体は第４面を円滑に乗り越えることができる。
【００１２】
(3)  好ましくは、上記第４面は、上記開口部が上記内部空間に連通する部分の全域にわたって設けられている請求項１又は２に記載の回動装置。
【００１３】
これにより、軸体が第４面を乗り越えるときに、軸体に加わる抵抗の変化が大きく、作業者は、その変化を確実に捉えることができる。また、軸受け部の内部空間内に挿入された軸体が内部空間から抜け出ることを抑制できる。
【００１４】
(4)  好ましくは、上記軸受け部は、上記第４面と連続し、且つ上記内部空間と向き合う第５面を更に有しており、当該第５面は、上記軸受け部の内部空間に沿って湾曲している。
【００１５】
これにより、軸受け部の内部空間内に挿入された軸体は円滑に回動される。
【００１６】
(5)  好ましくは、上記軸体の上記断面形状は、上記第１長さを直径とする円の一部が、上記第１方向に平行な直線によって切り欠かれた形状である。
【００１７】
これにより、軸受け部の開口部内に軸体を嵌合させた状態で、軸受け部を軸体に沿って円滑に移動させることができる。
【００１８】
(6)  好ましくは、上記軸体の上記断面形状は、２本の上記直線によって上記円の一部が切り欠かれた小判形状である。
【００１９】
これにより、軸体に嵌合された軸受け部を、より一層円滑に軸体に沿って移動させることができる。
【００２０】
(7)  好ましくは、上記軸受け部の上記内部空間は、底面を有する凹形状である。
【００２１】
これにより、軸体が軸受け部の内部空間に挿入されると、軸体が、第４面を乗り越えるときに軸体に加わる抵抗の変化が作業者に確実に伝達される。
【００２２】
(8)  好ましくは、上記脱抜状態の上記回動部材は、上記軸体に対して、上記軸体の上記第２方向が上記開口の幅に沿った状態で、当該軸体が上記軸受け部の上記内部空間に進入する向きへ相対的に移動されることによって、当該軸体が上記第４面を乗り越えて上記軸受け部の上記内部空間に挿入されることにより上記装着状態となる。
【００２３】
これにより、軸体に対する軸受け部の組み付けが容易になる。
【００２４】
(9)  好ましくは、上記軸体の突出端と上記第１面との距離は、上記装着状態における上記第４面と上記第１面との距離より大きく、上記第１壁又は上記第２壁の少なくともいずれか一方は、上記軸体が上記第４面を乗り越えるときに他方から離れる方向へ弾性変形する。
【００２５】
この場合も、軸体に対する軸受け部の組み付けが容易になる。
【００２６】
(10)  好ましくは、上記本体は、プリント機能を有するものであり、上記本体の上方にスキャン機能を有するスキャナ部が回動可能に接続されており、上記回動部材における上記軸受け部と反対の端部は、上記スキャナ部に接続されている。
【００２７】
これにより、プリント機能を有する本体に対するスキャナ部の組み付けが容易になる。
【００２８】
(11)  好ましくは、上記スキャナ部が上記本体に対して回動可能な範囲において、上記軸体の上記第２方向が上記開口部に沿うことがない。
【００２９】
これにより、プリント機能を有する本体からスキャナ部が離脱するおそれがない。
【００３０】
(12)  好ましくは、上記軸体が上記第１壁に設けられ、上記軸受け部が上記回動部材に設けられている。
【００３１】
これにより、軸体及び軸受け部を容易に形成することができる。
【発明の効果】
【００３２】
本発明によれば、回動装置において、回動部材が所定の状態に組み付けられたことを容易に確認できる。
【図面の簡単な説明】
【００３３】
【図１】図１は、複合機に設けられたハウジング１３の斜視図である。
【図２】図２は、図１に示されたハウジング１３を、図１の斜視図とは幅方向９の逆方向から見た斜視図である。
【図３】図３は、図１及び図２に示されたハウジング１３の平面図である。
【図４】図４は、図３のＡ−Ａ線における断面図である。
【図５】図５は、図３のＢ−Ｂ線における断面図である。
【図６】図６は、図３のＣ−Ｃ線における断面図である。
【図７】図７は、軸体２４に対して軸受け部３２を組み付ける前の状態の模式図である。
【図８】図８は、軸受け部３２の斜視図である。
【図９】図９は、軸受け部３２を軸体２４に組み付けるときの動作を説明するための外フレーム２１及び内フレーム２２の横断面図である。
【発明を実施するための形態】
【００３４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００３５】
［複合機］
図１及び図２は、本発明の回動装置が設けられた複合機の本体であるプリンタ部１１に設けられるハウジング１３の斜視図である。ハウジング１３は、プリンタ部１１の外郭の一部を構成しており、図１及び図２においては、ハウジング１３以外のプリンタ部１１の外郭を２点鎖線で示している。なお、以下の説明においては、図１の状態を基準として、上下方向７、前後方向８、左右方向９（以下においては「幅方向９」とする）が定義される。
【００３６】
プリンタ部１１は、記録用紙等のシートに画像を記録するプリント機能を有する。プリンタ部１１のハウジング１３内には、シートの搬送機構、シートにインクジェット方式で画像を記録する記録部等が収容される。
【００３７】
プリンタ部１１のハウジング１３には、スキャン機能を備えたスキャナ部１２（図１において２点鎖線で示す）が、回動アーム３１（「回動部材」の一例）を有する回動装置３０によって、上下方向７に回動可能に支持されている。
【００３８】
スキャナ部１２は、原稿が載置されるコンタクトガラス、原稿送り機構、画像読取部等を有する。スキャナ部１２は、コンタクトガラス上に載置された原稿、あるいは原稿送り機構によって搬送される原稿を画像読取部によって読み取る。
【００３９】
複合機は、スキャナ部１２が下方に回動されて、プリンタ部１１上に載置された状態で使用される。複合機のメンテナンス等に際しては、スキャナ部１２は、プリンタ部１１のハウジング１３に対して上方に回動される。
【００４０】
［回動装置］
図１に示されるように、回動装置３０の回動アーム３１は、一方の端部（以下、「先端部」とする）が、スキャナ部１２における幅方向９の左端に位置する側面部に、回動可能及び前後方向８にスライド可能に支持される。回動アーム３１の他方の端部（以下、「基端部」とする）は、ハウジング１３における幅方向９の左端部に支持される。
【００４１】
図３及び図６に示されるように、プリンタ部１１のハウジング１３は、幅方向９の左端に、それぞれが前後方向８に沿った垂直な状態で配置された外フレーム２１（「第１壁」の一例）と、内フレーム２２（「第２壁」の一例）とを有する。外フレーム２１及び内フレーム２２は、幅方向９に一定の間隔Ｆ１（図６）が空けられている。
【００４２】
回動アーム３１の基端部は、外フレーム２１と内フレーム２２との間に挿入可能な厚さを有しており、その厚さＤ１は、外フレーム２１と内フレーム２２との間隔Ｆ１にほぼ等しくなっている。回動アーム３１の基端部は、厚さ方向を外フレーム２１と内フレーム２２との幅方向９に一致させた状態で、外フレーム２１と内フレーム２２との間に挿入可能になっている。回動アーム３１は、基端部が、外フレーム２１と内フレーム２２との間から離間された脱抜状態と、外フレーム２１と内フレーム２２との間において回動可能に支持された装着状態とに着脱可能になっている。
【００４３】
図６に示されるように、外フレーム２１には、上端から一定の間隔を空けた位置に、前後方向８に沿った溝状のヒンジ部２１Ａが設けられている。外フレーム２１におけるヒンジ部２１Ａよりも上方に位置する上部は、ヒンジ部２１Ａによって、内フレーム２２から離れる方向に撓んだ状態に弾性変形可能になっている。
【００４４】
外フレーム２１における弾性変形可能な上部には、回動アーム３１の端部を、外フレーム２１と内フレーム２２との間で回動可能に支持する軸体２４が設けられている。軸体２４は、外フレーム２１と内フレーム２２との間に挿入される回動アーム３１の基端部に対向する内面２１Ｂ（「第１面」の一例）から内フレーム２２に向かって突出している。軸体２４の突出端２７は、外フレーム２１の内面２１Ｂとは平行な平面になっている。軸体２４の突出端２７の平面は、外フレーム２１の上部が撓んでいない状態では、外フレーム２１から一定の距離Ｆ２だけ離れた位置において、内フレーム２２に平行になっている。従って、軸体２４の突出端２７は、内フレーム２２から距離Ｆ３（＝Ｆ１−Ｆ２）だけ離れている。
【００４５】
図４に示されるように、軸体２４における内面２１Ｂに沿った断面形状は、長円形状になっている。軸体２４の当該断面形状は、図７に拡大して示されるように、一定の直径Ｌ１の円板を、軸心から等しい距離だけ離れた位置において、相互に平行な２本の平面に沿って切り欠かれた小判形状（横長な円形状）に対応している。軸体２４の突出端２７における外形状も、図５に示されるように、同様の長円形状になっている。
【００４６】
従って、軸体２４の突出端２７の外形状は、それぞれが軸方向に沿った状態であって相互に平行になった一対の平面２５と、曲率半径が等しい一対の円弧面２６とによって囲まれている。軸体２４における一対の円弧面２６は、一定の直径Ｌ１の円筒形状の外周面の一部に対応している。従って、軸体２４は、各平面２５に沿った方向（以下、「第１方向」とする）の第１長さ（上記直径Ｌ１に相当）が、第１方向に直交する方向（以下、「第２方向」とする）に沿った第２長さＬ２よりも長い。図４及び図５に示されるように、外フレーム２１に支持された軸体２４は、平面２５のそれぞれが、上下方向７に対して３０°程度の角度で傾斜している。
【００４７】
図４及び図５に示されるように、回動アーム３１の基端部には、軸体２４が回動可能に挿入される内部空間３３と、当該内部空間３３と軸受け部３２の周囲の外部とを連通する溝状の開口部３５とを備えた軸受け部３２が設けられている。
【００４８】
図８は、軸体２４から脱抜された軸受け部３２を拡大して示す斜視図である。図８に示されるように、軸受け部３２の内部空間３３は、回動アーム３１の基端部における外フレーム２１の内面２１Ｂに対向する側壁面３１Ａ（「第２面」の一例）において円形状に開口する。
【００４９】
図８に示されるように、開口部３５は、回動アーム３１の側壁面３１Ａにおいて長方形状に開口し、また、回動アーム３１の側壁面３１Ａに対して直交状態で交差する外壁面３１Ｂ（「第３面」の一例）においても長方形状に開口する。外壁面３１Ｂに設けられた開口は、外フレーム２１と内フレーム２２との間において下方に向けられている。
【００５０】
軸受け部３２の内部空間３３は、周囲の囲む内壁面３３Ａによって円筒形状に形成されており、底面３３Ｂによって、内部空間３３の開口とは軸方向の反対側の端部が区画されている。内壁面３３Ａは、ほぼ一定の直径Ｌ３（図７参照）を有し、開口部３５とは連通口３３Ｃを介して連通している。図７に示されるように、連通口３３Ｃは、内壁面３３Ａの１／４周程度の周方向長さに形成されており、内部空間３３の横断面の形状は、「Ｃ」字状になっている。内壁面３３Ａの直径Ｌ３は、軸体２４における長手方向に沿った長さＬ１よりも長い。
【００５１】
図６及び図９に示されるように、底面３３Ｂは、内部空間３３が開口する回動アーム３１の側壁面３１Ａに平行な平面であり、当該側壁面３１Ａから距離Ｄ２だけ離れている。
【００５２】
回動アーム３１が外フレーム２１と内フレーム２２との間に装着される際には、軸受け部３２の内部空間３３に軸体２４が挿入されて、軸体２４の突出端２７が、内部空間３３の底面３３Ｂに当接した状態になる。この場合、内部空間３３の直径Ｌ３は、軸体２４における第１方向に沿った長さＬ１よりも長いために、軸体２４は、内部空間３３内において回動可能になる。
【００５３】
図７に示されるように、開口部３５は、回動アーム３１の側壁面３１Ａとは直交状態で交差する一対の壁面３５Ａによって、幅寸法が規定されている。一対の壁面３５Ａは、開口部３５の幅寸法に対応する一定の間隔Ｌ４を空けて相互に平行に配置されている。各壁面３５Ａにおける内部空間３３に近接したそれぞれの端部は、連通口３３Ｃにおける周方向の両側に位置する内壁面３３Ａにそれぞれ連続している。
【００５４】
図３及び図４に示されるように、一対の壁面３５Ａは、軸受け部３２が設けられた回動アーム３１の基端部が延びる方向に沿った直線ＣＬ１に対して７５°程度の角度で傾斜している。
【００５５】
図７に示されるように、開口部３５の幅寸法Ｌ４は、軸体２４における短い長さの方向である第２方向に沿った第２長さＬ２よりも長くなっている。このため、軸体２４は、軸体２４の第２方向を、開口部３５の幅方向に一致させると、開口部３５内に嵌合可能である。このような状態では、軸受け部３２と軸体２４とは、第１方向に沿って相対移動可能になる。
【００５６】
軸受け部３２には、開口部３５における回動アーム３１の側壁面３１Ａから最も遠くの端部を区画する溝底部３５Ｂを有する。図８に示されるように、溝底部３５Ｂは、開口部３５の幅方向の全域と、当該幅方向とは直交する方向の全域とにわたって設けられている。溝底部３５Ｂは、内部空間３３の底面３３Ｂから、回動アーム３１の側壁面３１Ａに設けられた開口に向かって突出している。溝底部３５Ｂにおける内部空間３３に隣り合う部分の突出端は、開口部３５の内部を区画する平坦な区画面３５Ｆ（「第４面」の一例）になっている。
【００５７】
図６及び図９に示されるように、溝底部３５Ｂの区画面３５Ｆは、内部空間３３の底面３３Ｂに平行であり、回動アーム３１の側壁面３１Ａから一定の距離Ｄ３だけ離れている。このため、内部空間３３内に軸体２４が挿入された状態では、溝底部３５Ｂの区画面３５Ｆは、内部空間３３の底面３３Ｂに当接した軸体２４の突出端２７よりも、回動アーム３１の側壁面３１Ａに近くに位置している。
【００５８】
溝底部３５Ｂには、内部空間３３とは反対の回動アーム３１の外壁面３１Ｂに近接した位置には、開口部３５の内部を区画するテーパ面３５Ｇが設けられている。テーパ面３５Ｇは、区画面３５Ｆに対して内部空間３３から離れる向きに連続して延出しており、内部空間３３から離れるに従って、回動アーム３１の側壁面３１Ａから遠くなるように傾斜している。
【００５９】
さらに、溝底部３５Ｂは、内部空間３３と向き合う側面３５Ｅ（「第５面」の一例）を有している。側面３５Ｅは、内部空間３３の内壁面３３Ａに沿って湾曲しており、内部空間３３の底面３３Ｂ及び溝底部３５Ｂの区画面３５Ｆに連続している。
【００６０】
［回動装置の組み立て］
このような構成の回動装置３０は、作業者が、回動アーム３１の軸受け部３２を、軸体２４に組み付けることにより、回動アーム３１が軸体２４に対して回動可能に支持された装着状態になる。
【００６１】
この場合、作業者は、回動アーム３１における軸受け部３２以外の部分を把持して、軸受け部３２の内部空間３３が開口する回動アーム３１の側壁面３１Ａが、外フレーム２１における内面２１Ｂに対向される。また、作業者による回動アーム３１の操作によって、軸受け部３２における開口部３５の幅方向が、軸体２４の長手方向に沿った状態とされる。このような状態で、図９に示されるように、軸受け部３２を、外フレーム２１と内フレーム２２との間に挿入する。
【００６２】
次いで、軸受け部３２の開口部３５内に軸体２４が挿入されるように、回動アーム３１が操作されて、軸受け部３２を軸体２４の長手方向に沿って移動させる。この場合、軸受け部３２の開口部３５における各壁面３５Ａの間隔Ｌ４が、軸体２４の長手方向と直交する方向の第２長さＬ２よりも長くなっているために、軸体２４が軸受け部３２の開口部３５内に挿入される。
【００６３】
さらに、軸受け部３２を、軸体２４の長手方向に沿って移動させると、開口部３５における溝底部３５Ｂのテーパ面３５Ｇが、軸体２４における長手方向の一端部に当接する。これにより、軸体２４は、テーパ面３５Ｇに案内されて、内フレーム２２から離れる方向に移動し、図９に示されるように、外フレーム２１は撓んだ状態に弾性変形する。
【００６４】
このような状態で、さらに、軸受け部３２を軸体２４の長手方向に沿って移動させると、軸体２４の突出端２７が、開口部３５の区画面３５Ｆに当接した状態になる。このような状態では、外フレーム２１の上部は、内フレーム２２から最も離れた状態に撓む。
【００６５】
その後、軸受け部３２が軸体２４の長手方向に沿って移動されると、軸体２４の突出端２７が、開口部３５の区画面３５Ｆを乗り越え、区画面３５Ｆによる軸体２４の押圧状態が解消される。これにより、外フレーム２１の上部の弾性変形が解消されて外フレーム２１の撓みが解消される。その結果、軸体２４は、軸受け部３２の内部空間３３内に挿入される。
【００６６】
この場合、外フレーム２１の上部における撓みが解消されると、軸体２４に加わる抵抗が減少する。これにより、回動アーム３１を操作する作業者は、当該振動を、回動アーム３１を介して感知することによって、軸体２４が内部空間３３内に挿入されたことを確実に認識できる。また、外フレーム２１の上部若しくは軸体２４の振動により振動音が発生する場合には、この振動音を聞くことによっても、内部空間３３内に軸体２４が挿入されたことを認識できる。これにより、作業者は、回動アーム３１の軸受け部３２が軸体２４に正確に組み付けられたものと判断して、当該組み付け作業を終了する。
【００６７】
このようにして組み立てられた回動装置３０は、軸受け部３２の内部空間３３における直径Ｌ３が、軸体２４の長手方向に沿った長さよりも長い。これにより、軸受け部３２の内部空間３３内に挿入された軸体２４は、内部空間３３内において回動可能に支持される。このために、スキャナ部１２をプリンタ部１１のハウジング１３に対して上下方向７に回動させると、軸体２４に対して軸受け部３２が回動し、スキャナ部１２はプリンタ部１１のハウジングに対して円滑に回動される。
【００６８】
また、プリンタ部１１のハウジング１３に対してスキャナ部１２が回動される範囲では、軸体２４における第１方向（長手方向）の一方の端部が、軸受け部３２の開口部３５に沿うことがない。長さＬ１は、幅寸法Ｌ４より長いので、プリンタ部１１に対してスキャナ部１２が回動される場合に、軸受け部３２の開口部３５から軸体２４が抜け出るおそれがない。従って、スキャナ部１２はプリンタ部１１に対する回動時に、プリンタ部１１から離脱するおそれがない。
【００６９】
［実施形態の効果］
本実施形態によれば、開口部３５内に軸体２４を嵌合させて、軸体２４に沿って軸受け部３２を移動させると、軸体２４は、溝底部３５Ｂの区画面３５Ｆを乗り越えることにより、軸受け部３２の内部に挿入される。この場合、軸体２４が、開口部３５の区画面３５Ｆを乗り越えるときに、軸体２４に加わる抵抗が減少する。これにより、回動アーム３１を操作する作業者は、内部空間３３内に軸体が挿入されたことを容易に確認できる。
【００７０】
軸受け部３２の溝底部３５Ｂは、開口部３５における内部空間３３とは反対において、区画面３５Ｆに連続するテーパ面３５Ｇを有し、このテーパ面３５Ｇが内部空間３３から離れるにつれて外フレーム２１から離れるように傾斜している。これにより、開口部３５内に嵌合されて移動する軸体２４は、テーパ面３５Ｇに案内されるために、溝底部３５Ｂの区画面３５Ｆを容易に乗り越えることができる。
【００７１】
溝底部３５Ｂの区画面３５Ｆは、開口部３５における開口幅の全域にわたって設けられている。これにより、軸体２４に加わる抵抗変化を大きくすることができる。また、内部空間３３内に挿入された軸体２４が内部空間３３から抜け出ることを抑制できる。
【００７２】
軸受け部３２の溝底部３５Ｂは、区画面３５Ｆに対して軸受け部３２の内部空間３３と向き合う側面３５Ｅを有しており、側面３５Ｅは、軸受け部３２の内部空間３３に沿って湾曲している。これにより、内部空間３３内に挿入された軸体２４が円滑に回動される。
【００７３】
軸体２４は、第１長さの直径の円を、第１方向に平行な円によって切り欠かれた形状である。これにより、軸受け部３２内に軸体２４が嵌合された状態で、軸体２４に沿って軸受け部３２を、より一層円滑に移動させることができる。
【００７４】
軸受け部３２の内部空間３３は、底面３３Ｂを有する凹形状である。これにより溝底部３５Ｂの形成が容易になる。
【００７５】
回動アーム３１は、軸体２４に対して、軸体２４の第２方向が開口部３５の幅に沿った状態で、軸体２４が軸受け部３２の内部空間３３に進入する向きへ相対的に移動されることによって、区画面３５Ｆを乗り越えて軸受け部３２の内部空間３３に挿入される。これにより、軸体２４に対して軸受け部３２を容易に組み付けることができる。
【００７６】
外フレーム２１は、軸体２４が区画面３５Ｆを乗り越えるときに内フレーム２２から離れる方向へ弾性変形する。この場合も、軸体２４に対して軸受け部３２を容易に組み付けることができる。
【００７７】
プリンタ部１１は、プリント機能を有するものであり、プリンタ部１１の上方にスキャン機能を有するスキャナ部１２が回動可能に接続されており、回動アーム３１における軸受け部３２と反対の端部は、スキャナ部１２に接続されている。これにより、プリンタ部１１に対するスキャナ部１２の組み付けが容易になる。
【００７８】
スキャナ部１２がプリンタ部１１に対して回動可能な範囲において、軸体２４の第２方向が開口部３５に沿うことがない。これにより、プリンタ部１１からスキャナ部が離脱することが抑制される。
【００７９】
軸体２４は、外フレーム２１に設けられ、軸受け部３２は回動アーム３１に設けられている。これにより、軸体２４及び軸受け部３２を容易に形成することができる。
【００８０】
［変形例］
上記実施形態では、軸体２４は、外フレーム２１に設けられ、軸受け部３２は回動アーム３１に設けられる構成であったが、軸受け部３２を外フレーム２１に設け、軸体２４を回動アーム３１に設ける構成としてもよい。
【００８１】
さらに、軸体２４は、外フレーム２１に設けられる構成であったが、内フレーム２２に設けられる構成であってもよい。
【００８２】
また、溝底部３５Ｂにテーパ面３５Ｇが設けられていない構成であってもよい。
【００８３】
さらに、溝底部３５Ｂは、開口部３５の幅方向の全域と、当該幅方向とは直交する方向の全域とにわたって設けられている必要はなく、開口部３５が内部空間３３に連通する部分の全域にわたって設けられていればよい。
【００８４】
また、軸体２４の断面構造も、上記構成に限定されるものではなく、軸受け部３２内において回転可能であればよい。
【００８５】
さらに、軸受け部３２は、内壁面３３Ａと底面３３Ｂとによって囲まれた凹部である必要はなく、底面３３Ｂが設けられていない貫通孔であってもよい。
【００８６】
また、本発明の回動装置３０は、複合機１０におけるスキャナ部１２に第１壁及び第２壁が設けられている場合にも、適用できる。
【００８７】
本発明の回動装置３０は、複合機１０におけるプリンタ部１１にスキャナ部１２が回動可能に支持する構成に限らず、第１壁と第２壁との間に回動部材が支持される構成の各種装置に適用できる。
【符号の説明】
【００８８】
１０・・・・複合機
１１・・・・プリンタ部（本体）
１２・・・・スキャナ部
２１・・・・外フレーム（第１壁）
２１Ａ・・・ヒンジ部
２１Ｂ・・・内面（第１面）
２２・・・・内フレーム（第２壁）
２４・・・・軸体
２４・・・・軸体
３１・・・・回動アーム（回動部材）
３１Ａ・・・側壁面（第２面）
３１Ｂ・・・外壁面（第３面）
３２・・・・軸受け部
３３・・・・内部空間
３３Ａ・・・内壁面
３３Ｂ・・・底面
３３Ｃ・・・切り欠き部
３５・・・・開口部
３５Ａ・・・壁面
３５Ｂ・・・底部
３５Ｅ・・・側面（第５面）
３５Ｆ・・・区画面（第４面）
３５Ｇ・・・テーパ面
【図１】
0006572583.tif 000002
【図２】
0006572583.tif 000003
【図３】
0006572583.tif 000004
【図４】
0006572583.tif 000005
【図５】
0006572583.tif 000006
【図６】
0006572583.tif 000007
【図７】
0006572583.tif 000008
【図８】
0006572583.tif 000009
【図９】
0006572583.tif 000010